(57)【特許請求の範囲】
【請求項１】
画像表示面を有する画像表示パネルと、
該画像表示パネルの前面を覆う透光性の保護パネルと、
光硬化性樹脂を硬化させてなり、前記画像表示パネルと保護パネルとの間に隙間無く介在するボンディング層と、
前記画像表示パネルを収容し、前記保護パネルを透して画像表示パネルの画像表示面を視認可能とするための開口部を有する筐体
とを具え、前記筐体は、前記開口部を有するベゼルとバックキャビネットとから構成され、
前記保護パネルの背面外周部と前記バックキャビネットの外周縁部との対向面間、並びに前記保護パネルの前面外周部と前記ベゼルの開口縁部との対向面間には、それぞれ環状のガスケットが介在し、該ガスケットによって防水が図られていることを特徴とする屋外用画像表示装置。
【請求項２】
前記筐体は密閉構造を有している請求項１に記載の屋外用画像表示装置。
【請求項３】
前記ベゼルとバックキャビネットとは互いにビスによって締結され、該ビスの締め付け力によって前記ガスケットが挟圧されている請求項１又は請求項２に記載の屋外用画像表示装置。
【発明の詳細な説明】
【技術分野】
【０００１】
本発明は、屋外に設置するための画像表示装置に関し、特に密閉構造の筐体を有する画像表示装置に関するものである。
【背景技術】
【０００２】
従来、屋外に設置する画像表示装置においては、密閉構造を有する筐体が採用され、筐体の内部へ雨水が浸入することを防止している。
例えば図５に示す画像表示装置は、筐体(92)の内部に、画像表示面(90)を有する画像表示ユニット(９)を収容し、筐体(92)の前面開口部を透明ガラス製の保護パネル(91)で塞ぐことにより、防水を図っている。
【０００３】
又、筐体(92)の前面開口部と保護パネル(91)との対向面間には、防水シートやガスケット等を介在させて、完全な防水を図ることが提案されている(特許文献１)。
【先行技術文献】
【特許文献】
【０００４】
【特許文献１】特開２００５−３０９２６８号公報
【発明の概要】
【発明が解決しようとする課題】
【０００５】
しかしながら、図５に示す如く、筐体(92)の内部に画像表示ユニット(９)を収容し、筐体(92)の前面開口部を保護パネル(91)によって塞いだ密閉型の画像表示装置においては、外気温度の低下に伴って筐体(92)内部の空気中の水分が結露し、保護パネル(91)の背面に水滴が付着する虞があった。
【０００６】
この問題を解決するために、画像表示ユニット(９)の画像表示面(90)と保護パネル(91)との間に形成されている空隙Ｓに透明樹脂を注入して、保護パネル(91)の背面に結露が生じることを防止することも考えられるが、透明樹脂の注入時に樹脂中へ空気の泡が噛み込む虞があり、これによって表示画像の品質が著しく低下する問題がある。
【０００７】
そこで本発明の目的は、保護パネルの背面に結露が生じる虞がなく、表示画像に高い品質が得られる屋外用画像表示装置を提供することである。
【課題を解決するための手段】
【０００８】
本発明に係る屋外用画像表示装置は、
画像表示面を有する画像表示パネルと、
該画像表示パネルの前面を覆う透光性の保護パネルと、
光硬化性樹脂を硬化させてなり、前記画像表示パネルと保護パネルとの間に隙間無く介在するボンディング層と、
前記画像表示パネルを収容し、前記保護パネルを透して画像表示パネルの画像表示面を視認可能とするための開口部を有する筐体
とを具え、保護パネルと筐体との間には防水構造が設けられている。
【０００９】
上記本発明の屋外用画像表示装置の組立工程においては、画像表示パネルの表面に光硬化性樹脂を塗布した後、該光硬化性樹脂の表面に保護パネルを重ね合わせる。この過程で光硬化性樹脂中に空気の泡が噛み込む虞はない。この状態で、保護パネルの表面側から光を照射して、光硬化性樹脂を硬化させる。これによって、画像表示パネルの表面にボンディング層を介して保護パネルが接合されることになる。その後、画像表示パネルを筐体の内部に収容すると共に、保護パネルと筐体とを防水構造を介して互いに接合する。
【００１０】
この様にして組み立てられた屋外用画像表示装置においては、画像表示パネルと保護パネルとの間にボンディング層が介在し、該ボンディング層は、保護パネルの背面に密着しているので、保護パネルの背面に結露が生じることはない。従って、画像表示パネルの画像表示面に画像を表示したとき、該画像は、ボンディング層及び保護パネルを透して、高い品質で視認することが出来る。
【００１１】
具体的態様において、前記防水構造は、保護パネルと筐体との対向面間に介在するガスケットによって構成されている。又、前記筐体は密閉構造を有している。
これによって、完全な防水が図られ、筐体の内部に雨水が浸入する虞はない。
【発明の効果】
【００１２】
本発明に係る屋外用画像表示装置によれば、保護パネルの背面に結露が生じる虞がなく、表示画像に高い品質が得られる。
【図面の簡単な説明】
【００１３】
【図１】図１は、本発明の一実施形態である屋外用画像表示装置の外観を示す斜視図である。
【図２】図２は、該屋外用画像表示装置の縦断面図である。
【図３】図３は、画像表示ユニットにボンディング層を介して保護パネルが接合されている状態を示す斜視図である。
【図４】図４は、画像表示ユニットにボンディング層を介して保護パネルを接合するボンディング工程を示す図である。
【図５】図５は、従来の屋外用画像表示装置の縦断面図である。
【発明を実施するための形態】
【００１４】
以下、本発明の実施の形態につき、図面に沿って具体的に説明する。
本発明の一実施形態である屋外用画像表示装置は、図１に示す如く、合成樹脂製のベゼル(81)とバックキャビネット(82)からなる筐体(８)を具え、該筐体(８)の前面開口部から画像表示面(10)が視認可能となっている。
【００１５】
筐体(８)の内部には、図２に示す如く、画像表示面(10)を有する画像表示ユニット(１)が収容され、筐体(８)の前面開口部は透明ガラス製の保護パネル(２)によって塞がれている。これによって筐体(８)は密閉構造を有している。
【００１６】
又、画像表示ユニット(１)の画像表示面(10)と保護パネル(２)の背面との間には、光硬化性樹脂を硬化させてなるボンディング層(３)が、隙間無く介在している。
光硬化性樹脂としては、例えば紫外線硬化性を有するアクリル系接着樹脂を用いることが出来る。この場合、図４(ａ)の如く、画像表示ユニット(１)の表面に光硬化性樹脂(31)を塗布した後、光硬化性樹脂(31)の表面に保護パネル(２)を重ね合わせる。そして、この状態で、図４(ｂ)の如く保護パネル(２)の表面側から紫外線を照射して、光硬化性樹脂(31)を硬化させる(例えばＷＯ２００９／０１１３６６号公報参照)。
【００１７】
これによって、ボンディング層(３)は画像表示ユニット(１)の画像表示面(10)と保護パネル(２)の背面に密着して、図３の如く画像表示ユニット(１)の前面にボンディング層(３)を介して保護パネル(２)が接合されることになる。
【００１８】
画像表示ユニット(１)は、図２に示す如く、画像表示面(10)が前面に形成された液晶表示パネルからなる画像表示パネル(５)と、その背面側に配備されたレンズフィルム(12)及びディフューザフィルム(13)と、その背面側に配備されたバックライト(11)と、画像表示パネル(５)を支持するパネルガイド(14)と、パネルガイド(14)上の画像表示パネル(５)を保持する枠状の金属フレーム(６)とを具えている。
【００１９】
図２に示す如く、保護パネル(２)の背面外周部とバックキャビネット(82)の外周縁部との対向面間と、保護パネル(２)の前面外周部とベゼル(81)の開口縁部との対向面間には、それぞれ環状のガスケット(80)が介在している。
そして、ガスケット(80)の近傍位置にて、バックキャビネット(82)とベゼル(81)とが互いにビスにより締結され、これによってバックキャビネット(82)とベゼル(81)とが互いに圧接されると共に、ビスの締め付け力によってガスケット(80)が強く挟圧されて、保護パネル(２)の外周部と画像表示ユニット(１)の開口部を包囲する周縁部との間に、防水構造が設けられることになる。
【００２０】
上記屋外用画像表示装置によれば、図４に示すボンディング工程にて光硬化性樹脂(31)中に空気の泡が噛み込むことはなく、然も、紫外線の照射によって硬化した光硬化性樹脂(31)は保護パネル(２)の背面に密着することになる。
従って、外気温度の低下によっても、保護パネル(２)の背面に結露が生じることはない。よって、画像表示ユニット(１)の画像表示面(10)に画像を表示したとき、該画像は、ボンディング層(３)及び保護パネル(２)を透して、高い品質で視認することが出来る。
【００２１】
又、筐体(８)の密閉構造とガスケット(80)による防水構造によって、完全な防水が図られ、筐体(８)の内部に雨水が浸入する虞はない。従って、屋外での長期間の使用に供することが出来る。
【００２２】
又、画像表示パネル(５)と画像表示ユニット(１)の間の空間にボンディング層(３)が充填されているので、画像表示ユニット(１)から放出される熱がボンディング層(３)を経て効率的に保護パネル(２)に伝わり、保護パネル(２)の表面から外部へ放散されるので、放熱性が良好である。
【００２３】
尚、従来の画像表示装置においても、画像表示ユニットと保護パネルの間に光硬化性樹脂を硬化させてなるボンディング層を介在させることが提案されているが、その目的は、専ら屋内用の画像表示装置において、ボンディング層の形成によって画像表示ユニットからの放熱性を向上させることにあった。
本発明は、専ら屋外用の画像表示装置において、屋外用の画像表示装置特有の問題である結露を防止するべく、防水構造と共に光硬化性樹脂によるボンディング技術を採用したものである。
【００２４】
本発明の各部構成は上記実施の形態に限らず、特許請求の範囲に記載の技術的範囲内で種々の変形が可能である。例えば、筐体(８)と保護パネル(２)の間の防水構造は、ガスケット(80)を用いたものに限らず、周知の種々の防水構造を採用することが出来る。
【符号の説明】
【００２５】
(１)  画像表示ユニット
(10)  画像表示面
(２)  保護パネル
(３)  ボンディング層
(31)  光硬化性樹脂
(５)  画像表示パネル
(８)  筐体
(81)  ベゼル
(82)  バックキャビネット
(80)  ガスケット
【図１】
0005602557.tif 000002
【図２】
0005602557.tif 000003
【図３】
0005602557.tif 000004
【図４】
0005602557.tif 000005
【図５】
0005602557.tif 000006